(57)【特許請求の範囲】
【請求項１】
ほぼ楕円形の一枚のシートからなり、
長さ方向の一端を残して所定幅に切れ目を形成して設けた外周片と、
前記外周片の内部に所定幅を残して切れ目を形成し、かつ先端の近傍に左右一対の係合片を２段に設けたＵ字片と、
前記Ｕ字片と前記外周片との間のＵ字部分をその中間で切断して形成した左右一対の短冊片と、
前記左右一対の短冊片の端部において切り離された庇片とを備え、
前記外周片の中間位置に一端を外周に向かって開放した切込みを形成するとともに、外周片の端部位置の内周に左右一対の係合片を形成し、
前記外周片の基部と、該外周片に形成した切込みの両側と、前記短冊片の先端部分とにそれぞれ前記係合片を差込む差込み口を形成してあり、
前記Ｕ字片の１段目の係合片を前記短冊片の先端部分の差込み口を経由して外周片に形成した切込みの内側に設けた差込み口に差込み、
前記Ｕ字片の２段目の係合片を前記外周片に形成した切込みの外側に設けた差込み口に差込み、
前記外周片を前記切込みの位置において折返して反転させ、該外周片の端部位置の内周に形成した係合片を前記外周片の基部に形成した差込み口に差込んで前記反転させた反転部が使用者の頭部を囲むようにし、
前記庇片を組立後の帽子本体の適宜位置に取り付けるようにしたことを特徴とする一枚のシートから切り出した帽子。
【請求項２】
前記外周片を前記切込みの位置において折返して形成した反転部は、さらに所定幅で内向きに折り返されていることを特徴とする請求項１に記載の一枚のシートから切り出した帽子。
【請求項３】
前記庇片は、前記Ｕ字片の先端の近傍に２段に形成された左右一対の係合片に対応する凹溝を備えており、該凹溝を前記組立後の帽子本体の適宜位置に取り付けるようにしたことを特徴とする請求項１または２に記載の一枚のシートから切り出した帽子。
【請求項４】
ほぼ楕円形の一枚のシートからなり、
前記シートの長さ方向の一端を残して所定幅に切れ目を形成して設けた外周片と、
前記外周片の内部に所定幅を残して切れ目を形成し、かつ先端の近傍に２段に左右一対の係合片を設けたＵ字片と、
前記Ｕ字片と前記外周片との間のＵ字部分をその中間の切断部で切断して形成した左右一対の短冊片と、
前記左右一対の短冊片の端部の前記切断部において切り離された庇片とを備え、
前記外周片の中間位置に一端を外周に向かって開放した切込みを形成するとともに、前記外周片の基部の外周に沿って所定間隔で一対の係合片を形成し、
前記外周片に形成した切込みの両側と、前記短冊片の先端部分と、前記外周片の端部位置にそれぞれ前記係合片の差込み口を形成してあり、
前記Ｕ字片の１段目の係合片を前記短冊片の先端部分の差込み口を経由して外周片に形成した切込みの内側に設けた差込み口に差込み、
前記Ｕ字片の２段目の係合片を前記外周片に形成した切込みの外側に設けた差込み口に差込み、
前記外周片を前記切込みの位置において折返して反転させて、該反転させた反転部が使用者の頭部を囲むようにし、
前記庇片を前記外周片と反転部との間に挿入し、前記外周片の基部の外周に沿って形成した一対の係合片を、前記庇片に設けた差込み口を経由して、前記外周片の端部位置に設けた差込み口に差込んで、帽子本体の適宜位置に取り付けるようにしたことを特徴とする一枚のシートから切り出した帽子。
【発明の詳細な説明】
【技術分野】
【０００１】
本発明は一枚のシートから切り出した帽子に関するものである。
【背景技術】
【０００２】
特開２００９−５７６７４号公報（特許文献１参照）には、一枚のシートからなる本体の外周をつばとし、つばの内周内に分離境界線を設けることにより、頭を覆えるクラウン部並びにクラウン部の形状を保つ保持部とが一体に形成され、クラウン部と突片のデザインを可能とする構成を特徴とするシート式帽子が示されている。
【０００３】
また、実開平２−１２５９２５号公報（特許文献２参照）には、一枚の台紙状の材料から、庇と前額部覆片と天井部覆片と左右の側頭部覆片と、左右一対の後頭部覆片及び左右一対の係止用バンドとを分離することなく連続して切り抜き、所定の折り曲げ線に沿って折り曲げるとともに、前記左右一対の係止用バンドを係止して成形する帽子であって、前記左右一対の後頭部覆片の後端部に係止片を設け、該係止片を互いに重ね合わせて後頭部覆片に湾曲部を形成するとともに、該係止片を前記天井部覆片に形成した係止孔に係入して、前面湾曲部の弾力により天井部覆片をほぼ水平に支持するようにしたことを特徴とする帽子が示されている。
【先行技術文献】
【特許文献】
【０００４】
【特許文献１】特許公開２００９−５７６７４号公報
【特許文献２】実開平２−１２５９２５号公報
【発明の概要】
【発明が解決しようとする課題】
【０００５】
しかしながら前記特開２００９−５７６７４号公報（特許文献１参照）のシート式帽子においては次のような問題点があった。
（イ）差込み式のものにおいては、着用する者の頭頂部が覆われないために屋外用の帽子としては不向きであった。
（ロ）また、組付けに面ファスナーや留具を使用するものにあっては、コストアップを招くとともに、廃棄や商品としての包装が面倒であるという問題があった。
【０００６】
実開平２−１２５９２５号公報（特許文献２参照）の帽子においては次のような問題点があった。
（イ）係止用バンドが外向きに伸びているため、原紙の面積が大きくなってコストアップを招いてしまうという問題があった。
（ロ）また、側頭部覆片の幅が大きくなっているため、通気性において重要な側頭部が通気性をほとんど備えておらず、長期間着用すると蒸れてしまうという問題があった。
本発明は、これらの問題を解決するためになされたものである。
【課題を解決するための手段】
【０００７】
すなわち本発明の一枚のシートから切り出した帽子は、
ほぼ楕円形の一枚のシートからなり、
長さ方向の一端を残して所定幅に切れ目を形成して設けた外周片と、
前記外周片の内部に所定幅を残して切れ目を形成し、かつ先端の近傍に左右一対の係合片を２段に設けたＵ字片と、
前記Ｕ字片と前記外周片との間のＵ字部分をその中間で切断して形成した左右一対の短冊片と、
前記左右一対の短冊片の端部において切り離された庇片とを備え、
前記外周片の中間位置に一端を外周に向かって開放した切込みを形成するとともに、外周片の端部位置の内周に左右一対の係合片を形成し、
前記外周片の基部と、該外周片に形成した切込みの両側と、前記短冊片の先端部分とにそれぞれ前記係合片を差込む差込み口を形成してあり、
前記Ｕ字片の１段目の係合片を前記短冊片の先端部分の差込み口を経由して外周片に形成した切込みの内側に設けた差込み口に差込み、
前記Ｕ字片の２段目の係合片を前記外周片に形成した切込みの外側に設けた差込み口に差込み、
前記外周片を前記切込みの位置において折返して反転させ、該外周片の端部位置の内周に形成した係合片を前記外周片の基部に形成した差込み口に差込んで前記反転させた反転部が使用者の頭部を囲むようにし、
前記庇片を組立後の帽子本体の適宜位置に取り付けるようにしたことを特徴とするものである。
【０００８】
本発明の一枚のシートから切り出した帽子において、前記外周片を前記切込みの位置において折返して形成した反転部は、さらに所定幅で内向きに折り返されていることをも特徴とするものである。
【０００９】
本発明の一枚のシートから切り出した帽子において、前記庇片は、前記Ｕ字片の先端の近傍に２段に形成された左右一対の係合片に対応する凹溝を備えており、該凹溝を前記組立後の帽子本体の適宜位置に取り付けるようにしたことをも特徴とするものである。
【００１０】
また本発明の一枚のシートから切り出した帽子は、
ほぼ楕円形の一枚のシートからなり、
前記シートの長さ方向の一端を残して所定幅に切れ目を形成して設けた外周片と、
前記外周片の内部に所定幅を残して切れ目を形成し、かつ先端の近傍に２段に左右一対の係合片を設けたＵ字片と、
前記Ｕ字片と前記外周片との間のＵ字部分をその中間の切断部で切断して形成した左右一対の短冊片と、
前記左右一対の短冊片の端部の前記切断部において切り離された庇片とを備え、
前記外周片の中間位置に一端を外周に向かって開放した切込みを形成するとともに、前記外周片の基部の外周に沿って所定間隔で一対の係合片を形成し、
前記外周片に形成した切込みの両側と、前記短冊片の先端部分と、前記外周片の端部位置にそれぞれ前記係合片の差込み口を形成してあり、
前記Ｕ字片の１段目の係合片を前記短冊片の先端部分の差込み口を経由して外周片に形成した切込みの内側に設けた差込み口に差込み、
前記Ｕ字片の２段目の係合片を前記外周片に形成した切込みの外側に設けた差込み口に差込み、
前記外周片を前記切込みの位置において折返して反転させて、該反転させた反転部が使用者の頭部を囲むようにし、
前記庇片を前記外周片と反転部との間に挿入し、前記外周片の基部の外周に沿って形成した一対の係合片を、前記庇片に設けた差込み口を経由して、前記外周片の端部位置に設けた差込み口に差込んで、帽子本体の適宜位置に取り付けるようにしたことをも特徴とするものである。
【発明の効果】
【００１１】
本発明は一枚のシートからなる簡便な帽子であり、使用時はＵ字片と左右一対の短冊片とを、前記Ｕ字片に設けた１段目の係合片を前記短冊片に形成した差込み口に差込んで組付け、さらにＵ字片と外周片とを、前記Ｕ字片に設けた２段目の係合片を前記外周片に形成した差込み口に差込んで組付けるとともに、前記外周片を所定位置で折返した上で、該外周片の端部位置の内周に形成した係合片を前記外周片の基部に形成した差込み口に差込んで前記反転部が使用者の頭部を囲むようにし、必要に応じて前記庇片を組立後の帽子本体の適宜位置に取り付けるようにしたものである。
【００１２】
以上の構成を採用したことにより、本発明の一枚のシートから切り出した帽子は以下のような効果を奏するものである。
ａ）Ｕ字片と左右一対の短冊片、短冊片と外周片との間に十分な間隙を具備することができて通気性がよく、しかも着用する者の頭頂部が確実に覆われるために屋外用の帽子として好適である。
ｂ）また、組付けに面ファスナーや留具を使用しないため、コストアップを招いてしまうことがなく、かつ廃棄や商品としての包装もきわめて容易である。
ｃ）全体が楕円形の輪郭内に収まっているため、使用する一枚のシートの面積が小さく済み、コストの低減を図ることができる。
ｄ）Ｕ字片と左右一対の短冊片、短冊片と外周片との間に十分な間隙を具備していて通気性が良好であるうえ、前記外周片の反転部が使用者の頭部を囲むようにしたので側頭部も通気性を備えていて、長期間着用しても蒸れるおそれがない。
ｅ）この発明の帽子（組立後の完成品）を着用することにより、頭上からの雨や直射日光をほぼ完全に遮ることができ、雨や紫外線の害から頭部を保護することができる。
【図面の簡単な説明】
【００１３】
【図１】本発明の第１実施例を示す平面図である。
【図２】庇片を切り離し、Ｕ字片と短冊片とを組付ける状態の斜視図である。
【図３】Ｕ字片と短冊片とを組付ける状態の斜視図である。
【図４】Ｕ字片と短冊片および外周片を組付ける状態の斜視図である。
【図５】Ｕ字片と短冊片および外周片を組付けた状態の斜視図である。
【図６】図５を背面側から見た斜視図である。
【図７】外周片の両側を折返した状態を背面側から見た斜視図である。
【図８】外周片をさらに幅方向の中ほどから折返す段階を示す斜視図である。
【図９】帽子本体が完成した状態の底面図である。
【図１０】完成状態を斜め上から俯瞰した斜視図である。
【図１１】帽子本体に庇片を取付けようとしている状態の斜視図である。
【図１２】庇片の取付工程を示し、（ａ）は組み付け前を、（ｂ）は組み付け途中を、（ｃ）は組み付けた状態を示す平面図である。
【図１３】組み付け完了後の前方から俯瞰した斜視図である。
【図１４】その側面図である。
【図１５】本発明の第２実施例を示す平面図である。
【図１６】庇片を切り離した状態の平面図である。
【図１７】庇片を切り離した状態の立体図である。
【図１８】Ｕ字片と短冊片とを組付ける状態の斜視図である。
【図１９】Ｕ字片と短冊片および外周片を組付けた状態の斜視図である。
【図２０】Ｕ字片と外周片を組付ける状態の斜視図である。
【図２１】Ｕ字片と外周片を組付けた状態の斜視図である。
【図２２】Ｕ字片と短冊片および外周片を組付けた状態の斜視図である。
【図２３】図２２を背面側から見た斜視図である。
【図２４】反転部を広げた状態を背面側から見た背面図である。
【図２５】その要部拡大図である。
【図２６】反転部を外周片に連結する場合の係合片を外周片の差込み口に挿通した状態の要部拡大図である。
【図２７】反転部を外周片に連結する場合の係合片を外周片の他方の差込み口に挿通した状態の要部拡大図である。
【図２８】反転部を外周片に連結する場合の係合片を反転部の差込み口に挿通した状態の要部拡大図である。
【図２９】庇片の取付工程を示し、組み付け前の状態を示す要部拡大底面図である。
【図３０】庇片を外周片と反転部の間に組み付けた状態を示す要部拡大底面図である。
【図３１】係合片を組み付けた状態を示す要部拡大底面図である。
【図３２】輪ゴムを取り付けた状態を示す要部拡大底面図である。
【図３３】組み付け完了後の前方から俯瞰した斜視図である。
【図３４】本発明の第３実施例を示す平面図である。
【図３５】庇片を切り離した状態の平面図である。
【図３６】庇片を切り離した状態の立体図である。
【図３７】Ｕ字片と短冊片を組付けた状態の斜視図である。
【図３８】Ｕ字片と短冊片および外周片を組付けた状態の斜視図である。
【図３９】Ｕ字片と外周片を組付ける状態の斜視図である。
【図４０】Ｕ字片と外周片を組付けた状態の斜視図である。
【図４１】Ｕ字片と短冊片および外周片を組付けた状態の斜視図である。
【図４２】図４１を背面側から見た斜視図である。
【図４３】反転部を広げた状態を背面側から見た背面図である。
【図４４】その要部拡大図である。
【図４５】庇片の取付工程を示し、庇片を外周片と反転部の間に組み付ける状態を示す要部拡大底面図である。
【図４６】庇片を外周片と反転部の間に組み付けた状態の要部拡大底面図である。
【図４７】庇片の差込み口に外周片の係合片を差込んだ状態を斜めから見た要部拡大底面図である。
【図４８】外周片の係合片を反転部の差込み口に差込んだ状態を示す底面図である。
【図４９】庇片の外側片を反転部の差込み口に差込んだ状態を示す底面図である。
【図５０】輪ゴムを取り付けた状態を示す底面図である。
【発明を実施するための形態】
【００１４】
以下、本発明の一枚のシートから切り出した帽子の実施の形態について、図面に基いて詳細に説明する。
本発明の第１実施例を示す図１において、本実施例の一枚のシートから切り出した帽子は以下のように構成されている。
すなわち、本実施例の帽子１１は、ほぼ楕円形の一枚のシート１１ａからなるものである。このシート１１ａの素材としては、厚さが約１〜３ｍｍ程度の素材を使用することが望ましく、該素材としては布や厚紙、ＥＶＡ（エチレン・ビニル・アセテート）シート等の軟質プラスチックシート、断熱性のあるプラスチック製の発泡シート、あるいはこれらの複合シートのみならず、剛性のあるプラスチックシートやカーボン材等からなるＦＲＰシート、あるいはこれらの複合シートを使用することができる。
【００１５】
そして前記帽子１１には、前記シート１１ａの長さ方向の一端を残して所定幅に切れ目を形成して設けた外周片１２と、前記外周片１２の内部に所定幅を残して切れ目を形成し、かつ先端の近傍に２段に左右一対の係合片１４ａ，１４ｂおよび係合片１５ａ，１５ｂを設けたＵ字片１３と、前記Ｕ字片１３と前記外周片１２との間のＵ字部分をその中間の切断部１６ａで切断して形成した左右一対の短冊片１６，１６と、前記左右一対の短冊片１６，１６の端部の前記切断部１６ａにおいて切り離された庇片１７が形成されている。
【００１６】
また、前記外周片１２の中間位置には、一端を外周に向かって開放した切込み１２ａを形成するとともに、前記外周片１２は前記切込み１２ａ位置において折返して反転される。１８はその反転部である。
また、前記外周片１２の反転部１８の端部位置の内周には、左右一対の係合片１２ｂ，１２ｃが形成してある。
なお、前記外周片１２には該反転部１８においてさらに所定の幅で幅方向かつ内向きに折り返した折返し部１８ｂが形成されている。
さらに、前記外周片１２の基部と、該外周片１２に形成した前記切込み１２ａの両側と、前記短冊片１６，１６の先端部分とにそれぞれ前記係合片１２ｂ，１２ｃおよび係合片１４ａ，１４ｂもしくは係合片１５ａ，１５ｂを差込む差込み口２１ａ，２１ｂ，２１ｃ，２１ｄが形成してある。
図において２２ａ，２２ｂは前記反転部１８の折返し部分の両側において、前記切込み１２ａ側にそれぞれ設けた紐通し孔である。また２３は前記Ｕ字片１３の先端に設けた目隠し片である。
【００１７】
したがって前記一枚のシート１１ａからの帽子の組み立ては、以下の工程で行うことができる。
１）まず図２に示すように、前記左右一対の短冊片１６，１６の端部の前記切断部１６ａにおいて庇片１７を切り離す。
２）次いで、図３に示すように、前記Ｕ字片１３の１段目の係合片１４ａ，１４ｂを、前記短冊片１６，１６の先端部分の差込み口２１ａを経由して、外周片１２に形成した切込み１２ａの内側に設けた差込み口２１ｂに差込む。
また図４および図５に示すように、前記Ｕ字片１３の２段目の係合片１５ａ，１５ｂを前記外周片１２に形成した切込み１２ａの外側に設けた差込み口２１ｃに差込む。
【００１８】
３）その上で図６に示すように、前記外周片１２の反転部１８を前記切込み１２ａの位置において折返す。
その後、図７に示すように、前記外周片１２の反転部１８の内周に設けた係合片１２ｂ，１２ｃを前記外周片１２の基部に設けた差込み口２１ｄに差込む。
４）さらに図８に示すように、前記外周片１２は反転部１８においてさらに所定の幅で幅方向かつ内向きに折り返し、係合片１８ａに差込み口２１ｅをはめ込んで止めることによりその幅を狭め、該折返し部１８ｂが使用者の側頭部を挟むようにして使用者の頭部に装着することができる。
もちろん、前記折返し部１８ｂの係止手段としてはステープラやクリップ、接着剤、両面粘着テープ等を使用してもよい。
なお、帽子の組立後、接着や縫い付けにより各部位を固定したり、不要な部位を切り取ることも可能である。
図９はその完成状態を示すものであり、前記紐通し孔２２ａ，２２ｂにゴム紐２２ｃを通して結束してあり、その弾性でサイズの大小を吸収したり、長さを調節して前記外周片１２のサイズを変えられるようになっている。
図１０は完成状態を斜め上から俯瞰したものである。
５）前記庇片１７は、図２に示すように、前記Ｕ字片１３の先端の近傍に２段に形成された左右一対の係合片１４ａ，１４ｂおよび係合片１５ａ，１５ｂに対応する一対の凹溝１７ａ，１７ｂとその間の扇形片１７ｃおよび切込み１７ｄを備えており、該凹溝１７ａ，１７ｂ、扇形片１７ｃおよび切込み１７ｄを前記組立後の帽子本体の適宜位置に必要に応じて取り付け、あるいは差し込む。
【００１９】
前記庇片１７は図１１に示すように、前記外周片１２の折返し後の上部と折返し後の反転部１８との間に差込んで庇として利用することができる。
すなわち、図１２（ａ）のように、完成した帽子本体の端部に向かって前記庇片１７の開口端を向き合わせる。そして、前記帽子本体の外周片１２の上部と折返し後の反転部１８との間に挿入し、図１２（ｂ）に示すように、前記庇片１７の凹溝１７ａを前記外周片１２の上部と折返し後の反転部１８を連結している係合片１２ｂ，１２ｃに差込む。
図１２（ｃ）は前記帽子本体に庇片１７を取付け終わった状態を示している。
また図１３は組み付け完了後の前方から俯瞰した斜視図、図１４はその側面図である。
【００２０】
前記庇片１７は、前記Ｕ字片１３と前記短冊片１６，１６との間に差込んで飾りとして利用したり、前記外周片１２の基部とその下部に位置する反転部１８の先端との間に差込んで後頭部の覆いとして利用することもできる。
その際、前記凹溝１７ａ，１７ｂが差込み位置において外周片１２やＵ字片１３、短冊片１６，１６と係合するように装着すれば、前記庇片１７は抜け落ちることなく確実に帽子本体に取り付けることができる。
【００２１】
以上の構成を採用したことにより、本発明は以下のような効果を奏するものである。
ａ）Ｕ字片１３と左右一対の短冊片１６，１６、短冊片１６，１６と外周片１２との間に十分な間隙を具備することができて通気性がよく、しかも着用する者の頭頂部が確実に覆われるために屋外用の帽子として好適である。
ｂ）また、組付けに面ファスナーや留具を使用しないため、コストアップを招いてしまうことがなく、かつ廃棄や商品としての包装もきわめて容易である。
ｃ）全体が楕円形の輪郭内に収まっているため、使用する一枚のシート１１ａの面積が小さく済み、コストの低減を図ることができる。
ｄ）Ｕ字片１３と左右一対の短冊片１６，１６、短冊片１６，１６と外周片１２との間に十分な間隙を具備していて通気性が良好であるうえ、前記外周片１２の反転部１８が使用者の頭部を囲むようにしたので側頭部も通気性を備えていて、長期間着用しても蒸れるおそれがない。
ｅ）全体が楕円形の輪郭内に収まっているため、さまざまなデザインの印刷が簡易にできる。
【００２２】
本発明の第２実施例を示す図１５において、本実施例の一枚のシートから切り出した帽子は以下のように構成されている。
すなわち、本実施例の帽子３１は、ほぼ楕円形の一枚のシート３１ａからなるものである。このシート３１ａの素材としては、第１実施例におけるものと同様のものでよい。
【００２３】
そして前記帽子３１には、前記シート３１ａの長さ方向の一端を残して所定幅に切れ目を形成して設けた外周片３２と、前記外周片３２の内部に所定幅を残して切れ目を形成し、かつ先端の近傍に２段に左右一対の係合片３４ａ，３４ｂおよび係合片３５ａ，３５ｂを設けたＵ字片３３と、前記Ｕ字片３３と前記外周片３２との間のＵ字部分をその中間の切断部３６ａで切断して形成した左右一対の短冊片３６，３６と、前記左右一対の短冊片３６，３６の端部の前記切断部３６ａにおいて切り離された庇片３７が形成されている。
【００２４】
また、前記外周片３２の中間位置には、一端を外周に向かって開放した切込み３２ａを形成するとともに、前記外周片３２は前記切込み３２ａ位置において折返して反転される。３８はその反転部である。
また、前記外周片３２の反転部３８の端部位置の内周近傍には、左右一対の係合片３２ｂ，３２ｃが形成してある。
さらに、前記短冊片３６，３６の先端部分と、前記外周片３２に形成した前記切込み３２ａの両側および外周片の反転位置と、前記外周片３２の基部にそれぞれ前記係合片３２ｂ，３２ｃおよび係合片３４ａ，３４ｂもしくは係合片３５ａ，３５ｂを差込む差込み口４１ａ，４１ｂ，４１ｃ，４１ｄ，４１ｅ，４１ｆ，４１ｇが形成してある。
図において４２ａ，４２ｂ，４２ｃは前記反転部３８の切込み３２ａ側に所定間隔で設けた輪ゴム係合片である。また４３は前記Ｕ字片１３の先端に設けた目隠し片である。
【００２５】
したがって前記一枚のシート３１ａからの帽子の組み立ては、以下の工程で行うことができる。
１）まず図１６及び図１７に示すように、前記左右一対の短冊片３６，３６の端部の前記切断部３６ａにおいて庇片３７を切り離す。
２）次いで、図１８に示すように、前記Ｕ字片３３の１段目の係合片３４ａ，３４ｂを、前記短冊片３６，３６の先端部分の差込み口４１ａを経由して、図１９に示すように、外周片３２に形成した切込み３２ａの内側に設けた差込み口４１ｂに差込む。
また図２０および図２１に示すように、前記Ｕ字片３３の２段目の係合片３５ａ，３５ｂを前記外周片３２に形成した切込み３２ａの外側に設けた差込み口４１ｃに差込む。
【００２６】
３）その上で図２２、図２３に示すように、前記外周片３２の反転部３８を前記切込み３２ａの位置において折返す。
その後、図２４および図２５に示すように、前記Ｕ字片３３の１段目の係合片３４ａ，３４ｂを前記外周片３２の反転部に設けた差込み口４１ｄに差込む。
４）さらに図２６に示すように、前記外周片３２の反転部３８の内周近傍に設けた前記係合片３２ｂ，３２ｃを前記外周片３２の基部に設けた２つの差込み口４１ｅの第１差込み口に差込み、図２７に示すように第２差込み口４１ｅから前記係合片３２ｂ，３２ｃの先端を引き出す。その上で、図２８に示すように、前記係合片３２ｂ，３２ｃの先端を前記外周片３２の反転部３８の内周近傍に設けた前記係合片３２ｂ，３２ｃの近くに配置した差込み口４１ｆに差込む。
５）前記庇片３７は、図２９に示すように、前記Ｕ字片３３の先端の近傍に２段に形成された左右一対の係合片３４ａ，３４ｂおよび係合片３５ａ，３５ｂに対応する一対の凹溝３７ａ，３７ｂとその間の扇形片３７ｃ、外側片３７ｄを備えており、該扇形片３７ｃ、外側片３７ｄを前記組立後の帽子本体の適宜位置に必要に応じて取り付け、あるいは差し込む。
【００２７】
前記庇片３７は図３０に示すように、前記外周片３２の折返し後の上部と折返し後の反転部３８との間に差込んで庇として利用することができる。
すなわち、図３０のように、前記庇片３７の開口端を向き合わせ、前記帽子本体の外周片３２の上部と折返し後の反転部３８との間に挿入して前記庇片３７の扇形片３７ｃと外側片３７ｄを前記外周片３２の上部と折返し後の反転部３８を連結している係合片３２ｂ，３２ｃを挟むように差込む。
次いで、図３１に示すように、前記外側片３７ｄの先端を折り返して前記係合片３２ｂ，３２ｃからやや離して配置した差込み口４１ｇに差込む。
図３２はその完成状態を示すものであり、前記反転部３８の切込み３２ａ側に所定間隔で設けた輪ゴム係合片４２ａ，４２ｂ，４２ｃのどれかに輪ゴム４４を係合させてあり、その弾性でサイズの大小を吸収したり、長さを調節して前記外周片３２のサイズを変えられるようになっている。
図３３は輪ゴムを取り付けた状態を示すものである。
【００２８】
本発明の第３実施例を示す図３４において、本実施例の一枚のシートから切り出した帽子は以下のように構成されている。
すなわち、本実施例の帽子５１は、ほぼ楕円形の一枚のシート５１ａからなるものである。このシート５１ａの素材としては、第１実施例におけるものと同様のものでよい。
【００２９】
そして前記帽子５１には、前記シート５１ａの長さ方向の一端を残して所定幅に切れ目を形成して設けた外周片５２と、前記外周片５２の内部に所定幅を残して切れ目を形成し、かつ先端の近傍に２段に左右一対の係合片５４ａ，５４ｂおよび係合片５５ａ，５５ｂを設けたＵ字片５３と、前記Ｕ字片５３と前記外周片５２との間のＵ字部分をその中間の切断部５６ａで切断して形成した左右一対の短冊片５６，５６と、前記左右一対の短冊片５６，５６の端部の前記切断部５６ａにおいて切り離された庇片５７が形成されている。この庇片５７の開口部には前記係合片５４ａ，５４ｂもしくは係合片５５ａ，５５ｂに対応して扇形片５７ａと外側片５７ｂが形成されている。６１ｅは前記扇形片５７ａと外側片５７ｂの間において、庇片５７に形成された差込み口である。
【００３０】
また、前記外周片５２の中間位置には、一端を外周に向かって開放した切込み５２ａを形成するとともに、前記外周片５２は前記切込み５２ａ位置において折返して反転される。５８はその反転部である。
さらに、前記外周片５２の基部の外周に沿って、所定間隔で一対の係合片５２ｂ，５２ｃが形成してある。
そして、前記短冊片５６，５６の先端部分と、前記外周片５２に形成した前記切込み５２ａの両側および外周片の反転位置と、前記外周片５２の基部にそれぞれ前記係合片５２ｂ，５２ｃおよび係合片５４ａ，５４ｂもしくは係合片５５ａ，５５ｂを差込む差込み口６１ａ，６１ｂ，６１ｃ，６１ｄ，６１ｅ，６１ｆ，６１ｇが形成してある。
図において６２ａ，６２ｂ，６２ｃは前記反転部５８の切込み５２ａ側に所定間隔で設けた輪ゴム係合片である。また６３は前記Ｕ字片１３の先端に設けた目隠し片である。
【００３１】
したがって前記一枚のシート５１ａからの帽子の組み立ては、以下の工程で行うことができる。
１）まず図３５及び図３６に示すように、前記左右一対の短冊片５６，５６の端部の前記切断部５６ａにおいて庇片５７を切り離す。
２）次いで、図３７に示すように、前記Ｕ字片５３の１段目の係合片５４ａ，５４ｂを、前記短冊片５６，５６の先端部分の差込み口６１ａを経由して、図３８に示すように、外周片５２に形成した切込み５２ａの内側に設けた差込み口６１ｂに差込む。
また図３９および図４０に示すように、前記Ｕ字片５３の２段目の係合片５５ａ，５５ｂを前記外周片５２に形成した切込み５２ａの外側に設けた差込み口６１ｃに差込む。
【００３２】
３）その上で図４１、図４２に示すように、前記外周片５２の反転部５８を前記切込み５２ａの位置において折返す。
その後、図４３および図４４に示すように、前記Ｕ字片５３の１段目の係合片５４ａ，５４ｂを前記外周片５２の反転部に設けた差込み口６１ｄに差込む。
【００３３】
４）前記庇片５７は図４５以下に示すように、前記外周片５２の折返し後の上部と折返し後の反転部５８との間に差込んで庇として利用することができる。
すなわち、図４５のように、前記庇片５７の開口端を向き合わせ、前記帽子本体の外周片５２の上部と折返し後の反転部５８との間に差込む。
５）次いで、図４６および図４７に示すように、前記外周片５２の基部の外周に沿って形成した一対の係合片５２ｂ，５２ｃを、庇片５７の前記扇形片５７ａと外側片５７ｂの間において、庇片５７に形成された差込み口６１ｅに差込み、その上で、図４８に示すように、前記外周片５２の先端に形成した差込み口６１ｆに差込む。
次いで、図４９に示すように、前記外側片５７ｂを外周片５２の内側から折返し、前記外周片５２の先端に形成したもう一方の差込み口６１ｇに差込む。
【００３４】
図５０はその完成状態を示すものであり、前記反転部５８の切込み５２ａ側に所定間隔で設けた輪ゴム係合片６２ａ，６２ｂ，６２ｃのどれかに輪ゴム６４を係合させてあり、その弾性でサイズの大小を吸収したり、長さを調節して前記外周片５２のサイズを変えられるようになっている。
【産業上の利用可能性】
【００３５】
本発明の一枚のシートから切り出した帽子は以上のように構成したので、屋外イベントやスポーツ観戦等の際に、帽子の素材となる一枚のシートを販売あるいは提供することにより、利用者が簡単に組み立てることができるので非常に便利である。
もちろん、屋外イベントやスポーツ観戦等の際のみならず、販売促進用のグッズとして、あるいはハイキングなどすべての屋外活動での日除けや雨除けなどの用途に適宜利用することができる。
【符号の説明】
【００３６】
１１  帽子
１１ａ  一枚のシート
１２  外周片
１２ａ  切込み
１２ｂ，１２ｃ  係合片
１３  Ｕ字片
１４ａ，１４ｂ  係合片
１５ａ，１５ｂ  係合片
１６，１６  短冊片
１６ａ  切断部
１７  庇片
１７ａ，１７ｂ  凹溝
１７ｃ  扇形片
１７ｄ  切込み
１８  反転部
１８ａ  係合片
１８ｂ  折返し部
２１ａ，２１ｂ，２１ｃ，２１ｄ，２１ｅ  差込み口
２２ａ，２２ｂ  紐通し孔
２２ｃ  ゴム紐
２３  目隠し片
３１  帽子
３１ａ  一枚のシート
３２  外周片
３２ａ  切込み
３２ｂ，３２ｃ  係合片
３３  Ｕ字片
３４ａ，３４ｂ  係合片
３５ａ，３５ｂ  係合片
３６，３６  短冊片
３６ａ  切断部
３７  庇片
３７ａ，３７ｂ  凹溝
３７ｃ  扇形片
３７ｄ  外側片
３８  反転部
４１ａ，４１ｂ，４１ｃ，４１ｄ，４１ｅ，４１ｆ，４１ｇ  差込み口
４２ａ，４２ｂ，４２ｃ  輪ゴム係合片
４３  目隠し片
５１  帽子
５１ａ  一枚のシート
５２  外周片
５２ａ  切込み
５２ｂ，５２ｃ  係合片
５３  Ｕ字片
５４ａ，５４ｂ  係合片
５５ａ，５５ｂ  係合片
５６，５６  短冊片
５６ａ  切断部
５７  庇片
５７ａ  扇形片
５７ｂ  外側片
５８  反転部
６１ａ，６１ｂ，６１ｃ，６１ｄ，６１ｅ，６１ｆ，６１ｇ  差込み口
６２ａ，６２ｂ，６２ｃ  輪ゴム係合片
６３  目隠し片
【要約】
【課題】一枚のシートから切り出した帽子を提供する。
【解決手段】本発明は一枚のシートからなる簡便な帽子であり、使用時はＵ字片と左右一対の短冊片とを、前記Ｕ字片に設けた１段目の係合片を前記短冊片に形成した差込み口に差込んで組付け、さらにＵ字片と外周片とを、前記Ｕ字片に設けた２段目の係合片を前記外周片に形成した差込み口に差込んで組付けるとともに、前記外周片を所定位置で折返した上で、該外周片の端部位置の内周に形成した係合片を前記外周片の基部に形成した差込み口に差込んで前記反転部が使用者の頭部を囲むようにし、必要に応じて前記庇片を組立後の帽子本体の適宜位置に取り付けるようにしたものである。
【選択図】図１【図１】
0005636560.tif 000002
【図２】
0005636560.tif 000003
【図３】
0005636560.tif 000004
【図４】
0005636560.tif 000005
【図５】
0005636560.tif 000006
【図６】
0005636560.tif 000007
【図７】
0005636560.tif 000008
【図８】
0005636560.tif 000009
【図９】
0005636560.tif 000010
【図１０】
0005636560.tif 000011
【図１１】
0005636560.tif 000012
【図１２】
0005636560.tif 000013
【図１３】
0005636560.tif 000014
【図１４】
0005636560.tif 000015
【図１５】
0005636560.tif 000016
【図１６】
0005636560.tif 000017
【図１７】
0005636560.tif 000018
【図１８】
0005636560.tif 000019
【図１９】
0005636560.tif 000020
【図２０】
0005636560.tif 000021
【図２１】
0005636560.tif 000022
【図２２】
0005636560.tif 000023
【図２３】
0005636560.tif 000024
【図２４】
0005636560.tif 000025
【図２５】
0005636560.tif 000026
【図２６】
0005636560.tif 000027
【図２７】
0005636560.tif 000028
【図２８】
0005636560.tif 000029
【図２９】
0005636560.tif 000030
【図３０】
0005636560.tif 000031
【図３１】
0005636560.tif 000032
【図３２】
0005636560.tif 000033
【図３３】
0005636560.tif 000034
【図３４】
0005636560.tif 000035
【図３５】
0005636560.tif 000036
【図３６】
0005636560.tif 000037
【図３７】
0005636560.tif 000038
【図３８】
0005636560.tif 000039
【図３９】
0005636560.tif 000040
【図４０】
0005636560.tif 000041
【図４１】
0005636560.tif 000042
【図４２】
0005636560.tif 000043
【図４３】
0005636560.tif 000044
【図４４】
0005636560.tif 000045
【図４５】
0005636560.tif 000046
【図４６】
0005636560.tif 000047
【図４７】
0005636560.tif 000048
【図４８】
0005636560.tif 000049
【図４９】
0005636560.tif 000050
【図５０】
0005636560.tif 000051